(57)【特許請求の範囲】
【請求項１】
ディスプレイ、
前記ディスプレイに設けられるタッチパネル、
前記タッチパネルに対するタッチ操作を検出する検出部、
ユーザの操作を受け付ける操作部、
第１条件が満たされたとき、タッチ操作の一部を無効にするスクリーンロック状態を設定する設定部、
ユーザの操作に応じて第２条件が満たされたとき、前記ディスプレイを消灯する消灯部、
前記消灯部によって前記ディスプレイが消灯されたとき、前記設定部を無効化する無効化部、および
前記設定部が無効化された状態で前記操作部が操作を受け付けたとき、前記消灯部によって消灯される前の画面を前記ディスプレイに表示する表示処理部を備える、携帯端末。
【請求項２】
前記消灯部によって前記ディスプレイが消灯されたとき、時間の計測を開始する計測部をさらに備え、
前記無効化部は、前記計測部によって所定時間が計測されたとき、前記設定部の無効化を停止する、請求項１記載の携帯端末。
【請求項３】
特定機能が実行されている状態で、前記消灯部によって前記ディスプレイが消灯された場合、前記特定機能の利用を制限するセキュリティロック状態を設定するセキュリティロック設定部、
前記消灯部によって前記ディスプレイが消灯された状態で前記操作部が操作を受け付けたときに、前記セキュリティロック状態が設定されていれば、セキュリティロック画面を表示するセキュリティロック画面表示部、および
前記セキュリティロック状態を解除する操作がされたとき、前記セキュリティロック状態を解除するセキュリティロック解除部をさらに備え、
前記表示処理部は、前記セキュリティロック状態が解除されたとき、前記消灯部によって消灯される前の画面を前記ディスプレイに表示する、請求項１または２記載の携帯端末。
【請求項４】
前記操作部は、前記ディスプレイを一時的に消灯するための第１キーを含み、
前記第２条件は、前記第１キーに対する操作を含み、
前記消灯部は、前記第１キーに対して操作がされたとき、前記ディスプレイを消灯する、請求項１ないし３のいずれかに記載の携帯端末。
【請求項５】
前記操作部は、前記第１キーとは異なる第２キーをさらに含み、
機能が実行された状態でスクリーンロック状態が設定されているときに、前記第２キーに対して操作がされたとき、スクリーンロック画面を表示するスクリーンロック画面表示部をさらに備える、請求項４記載の携帯端末。
【請求項６】
ディスプレイ、前記ディスプレイに設けられるタッチパネル、前記タッチパネルに対するタッチ操作を検出する検出部およびユーザの操作を受け付ける操作部を備える、携帯端末のプロセッサを、
第１条件が満たされたとき、タッチ操作の一部を無効にするスクリーンロック状態を設定する設定部、
ユーザの操作に応じて第２条件が満たされたとき、前記ディスプレイを消灯する消灯部、
前記消灯部によって前記ディスプレイが消灯されたとき、前記設定部を無効化する無効
化部、および
前記設定部が無効化された状態で前記操作部が操作を受け付けたとき、前記消灯部によって消灯される前の画面を前記ディスプレイに表示する表示処理部として機能させる、ロック状態制御プログラム。
【請求項７】
ディスプレイ、前記ディスプレイに設けられるタッチパネル、前記タッチパネルに対するタッチ操作を検出する検出部、ユーザの操作を受け付ける操作部および第１条件が満たされたとき、タッチ操作の一部を無効にするスクリーンロック状態を設定する設定部を備える、携帯端末のロック状態制御方法であって、
ユーザの操作に応じて第２条件が満たされたとき、前記ディスプレイを消灯する消灯ステップ、
前記ディスプレイが消灯されたとき、前記設定部を無効化する無効化ステップ、および
前記設定部が無効化された状態で前記操作部が操作を受け付けたとき、前記消灯ステップによって消灯される前の画面を前記ディスプレイに表示する表示ステップを含む、ロック状態制御方法。
【発明の詳細な説明】
【技術分野】
【０００１】
この発明は、携帯端末、ロック状態制御プログラムおよびロック状態制御方法に関し、特に操作の一部を無効にするロック状態を設定できる、携帯端末、ロック状態制御プログラムおよびロック状態制御方法に関する。
【背景技術】
【０００２】
操作の一部を無効にするロック状態を設定できる、携帯端末の一例が特許文献１に開示されている。特許文献１の携帯電話機は、操作キーを所定押下順番で所定押下回数だけ押下操作されるか、無操作一定時間が経過すればキーロックがかかる。そして、ユーザは、暗証番号の入力などを行うことで、キーロックを解除することが出来る。
【特許文献１】特開２００４−１２８７８０号公報［G06F 3/048, H04N 5/225, G06F 3/041, H04M 1/247］
【発明の概要】
【発明が解決しようとする課題】
【０００３】
ところが、特許文献１の携帯電話機では、無操作一定時間の設定が短い場合、ユーザが一時的に操作を止めたときに無操作と判定されて、キーロックがかかることがある。この場合、一時的に操作を止めたユーザは、操作を再開するために、暗証番号などを入力してキーロックを解除しなければならない。そして、このようなキーロックの解除が頻繁に発生した場合、ユーザはキーロックの解除操作を煩わしく感じる。
【０００４】
それゆえに、この発明の主たる目的は、新規な、携帯端末、ロック状態制御プログラムおよびロック状態制御方法を提供することである。
【０００５】
この発明の他の目的は、ユーザがロック状態を設定するか否かを容易に決めることができる、携帯端末、ロック状態制御プログラムおよびロック状態制御方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、ディスプレイ、ディスプレイに設けられるタッチパネル、タッチパネルに対するタッチ操作を検出する検出部、ユーザの操作を受け付ける操作部、第１条件が満たされたとき、タッチ操作の一部を無効にするスクリーンロック状態を設定する設定部、ユーザの操作に応じて第２条件が満たされたとき、ディスプレイを消灯する消灯部、消灯部によってディスプレイが消灯されたとき、設定部を無効化する無効化部、および設定部が無効化された状態で操作部が操作を受け付けたとき、消灯部によって消灯される前の画面をディスプレイに表示する表示処理部を備える、携帯端末である。
【０００８】
第１の発明では、携帯端末（１０：実施例において対応する部分を例示する参照符号。以下、同じ。）は、ＧＵＩが表示されるディスプレイ（１４）、そのディスプレイに設けられ表示されたＧＵＩなどに対するタッチ操作を受け付けるタッチパネル（１６）、タッチ操作を検出する検出部（４８）およびキー操作やタッチ操作などのユーザの操作を受け付ける操作部（４０：２２，７０）などを備える。また、設定部（３０，Ｓ２５）は、第１条件が満たされたとき、タッチ操作の一部（たとえば、所定機能を実行する操作）を無効にするスクリーンロック状態を設定する。また、第２条件が満たされ消灯部（３０，Ｓ２９）によってディスプレイが消灯されると、無効化部（３０，Ｓ３１）は、スクリーンロック状態を設定する設定部を無効化する。そして、表示処理部（３０，Ｓ５９）は、設定部が無効化されているときにユーザの操作を受け付けると、消灯部によって消灯される前の画面（たとえば、待機画面）をディスプレイに表示する。
【０００９】
第１の発明によれば、ユーザは、携帯端末を利用する状況に合わせて、スクリーンロック状態を設定するか否かを容易に決めることが出来る。
【００１０】
第２の発明は、第１の発明に従属し、消灯部によってディスプレイが消灯されたとき、時間の計測を開始する計測部をさらに備え、無効化部は、計測部によって所定時間が計測されたとき、設定部の無効化を停止する。
【００１１】
第２の発明では、第２条件を満たして消灯部によってディスプレイが消灯されると、計測部（３０，Ｓ３３，Ｓ３５）は、ディスプレイが消灯されてからの時間の計測を開始する。無効化部は、消灯部によってディスプレイが消灯されてから所定時間が経過すると、設定部の無効化を停止する。その結果、設定部は、スクリーンロック状態を設定する。
【００１２】
第２の発明によれば、第２条件が満たされてディスプレイが消灯された場合でも、所定時間後にはスクリーンロック状態が設定される。これにより、ユーザがスクリーンロック状態の設定を忘れたとしても、スクリーンロック状態が自動的に設定される。
【００１３】
第３の発明は、第１の発明または第２の発明のいずれかに従属し、特定機能が実行されている状態で、消灯部によってディスプレイが消灯された場合、特定機能の利用を制限するセキュリティロック状態を設定するセキュリティロック設定部、消灯部によってディスプレイが消灯された状態で操作部が操作を受け付けたときに、セキュリティロック状態が設定されていれば、セキュリティロック画面を表示するセキュリティロック画面表示部、およびセキュリティロック状態を解除する操作がされたとき、セキュリティロック状態を解除するセキュリティロック解除部をさらに備え、表示処理部は、セキュリティロック状態が解除されたとき、消灯部によって消灯される前の画面をディスプレイに表示する。
【００１４】
第３の発明では、たとえばユーザのプライベート情報を表示する特定機能が実行されているときに、消灯部によってディスプレイが消灯されると、セキュリティロック設定部（３０，Ｓ８７）は、その特定機能の利用を暗証番号などによって制限するセキュリティロック機能を設定する。セキュリティロック状態が設定されているときにユーザの操作が受け付けられると、セキュリティロック画面表示部（３０，Ｓ１０３）はセキュリティロック画面をディスプレイに表示する。たとえば暗証番号などを入力する解除操作がされると、セキュリティロック解除部（３０，Ｓ１０７）は、セキュリティロック状態を解除する。そして、セキュリティロック状態が解除されると、消灯部によって消灯される前に表示されていた特定機能の画面が、ディスプレイに表示される。
【００１５】
第３の発明によれば、特定機能が実行されている状態で、ディスプレイが一時消灯された場合、携帯端末をセキュリティ保護された状態にすることが出来る。
【００１６】
第４の発明は、第１の発明ないし第３の発明のいずれかに従属し、操作部は、ディスプレイを一時的に消灯するための第１キーを含み、第２条件は、第１キーに対する操作を含み、消灯部は、第１キーに対して操作がされたとき、ディスプレイを消灯する。
【００１７】
第４の発明では、第１キー（７０）は、たとえばディスプレイに表示されたソフトキーであり、ディスプレイを一時的に消灯するために利用される。第１キーに対して操作されると、ディスプレイが消灯され、設定部が無効化される。
【００１８】
第４の発明によれば、ユーザはキー操作を行うことで、スクリーンロック状態を設定することが出来る。
【００１９】
第５の発明は、第４の発明に従属し、操作部は、第１キーとは異なる第２キーをさらに含み、機能が実行された状態でスクリーンロック状態が設定されているときに、第２キーに対して操作がされたとき、スクリーンロック画面を表示するスクリーンロック画面表示部をさらに備える。
【００２０】
第５の発明では、第２キー（２２ｃ）は、たとえば所定画面を表示するためのキーである。そして、任意の機能が実行されているときにスクリーンロック状態が設定され、第２キーに対して操作がされると、スクリーンロック画面表示部（３０，Ｓ５３）はスクリーンロック画面を表示する。
【００２１】
第５の発明によれば、ユーザは、スクリーンロック状態が設定されていても、任意の機能が実行されているかを知ることが出来る。
【００２２】
第６の発明は、ディスプレイ（１４）、ディスプレイに設けられるタッチパネル（１６）、タッチパネルに対するタッチ操作を検出する検出部（４８）およびユーザの操作を受け付ける操作部（４０：２２，７０）を備える、携帯端末（１０）のプロセッサ（３０）を、第１条件が満たされたとき、タッチ操作の一部を無効にするスクリーンロック状態を設定する設定部（３０，Ｓ２５）、ユーザの操作に応じて第２条件が満たされたとき、ディスプレイを消灯する消灯部（Ｓ２９）、消灯部によってディスプレイが消灯されたとき、設定部を無効化する無効化部（Ｓ３１）、および設定部が無効化された状態で操作部が操作を受け付けたとき、消灯部によって消灯される前の画面をディスプレイに表示する表示処理部（Ｓ５９）として機能させる、ロック状態制御プログラムである。
【００２３】
第６の発明でも、第１の発明と同様、ユーザは、携帯端末を利用する状況に合わせて、スクリーンロック状態を設定するか否かを容易に決めることが出来る。
【００２４】
第７の発明は、ディスプレイ（１４）、ディスプレイに設けられるタッチパネル（１６）、タッチパネルに対するタッチ操作を検出する検出部（４８）、ユーザの操作を受け付ける操作部（４０：２２，７０）および第１条件が満たされたとき、タッチ操作の一部を無効にするスクリーンロック状態を設定する設定部（３０，Ｓ２５）を備える、携帯端末（１０）のロック状態制御方法であって、ユーザの操作に応じて第２条件が満たされたとき、ディスプレイを消灯する消灯ステップ（Ｓ２９）、ディスプレイが消灯されたとき、設定部を無効化する無効化ステップ（Ｓ３１）、および設定部が無効化された状態で操作部が操作を受け付けたとき、消灯ステップによって消灯される前の画面をディスプレイに表示する表示ステップ（Ｓ５９）を含む、ロック状態制御方法である。
【００２５】
第７の発明でも、第１の発明と同様、ユーザは、携帯端末を利用する状況に合わせて、スクリーンロック状態を設定するか否かを容易に決めることが出来る。
【発明の効果】
【００２６】
この発明によれば、ユーザは、スクリーンロック状態を設定するか否かを容易に決めることが出来る。
【００２７】
この発明の上述の目的、その他の目的、特徴および利点は、図面を参照して行う以下の実施例の詳細な説明から一層明らかとなろう。
【図面の簡単な説明】
【００２８】
【図１】図１はこの発明の一実施例の携帯電話機を示す外観図である。
【図２】図２は図１に示す携帯電話機の電気的な構成を示す図解図である。
【図３】図３は図１に示すディスプレイに表示される待機画面の一例を示す図解図である。
【図４】図４は図１に示すディスプレイを完全消灯するときの手順の一例を示す図解図であり、図４（Ａ）は図１に示す終話キーに対して操作がされている状態を示し、図４（Ｂ）は図１に示すディスプレイが消灯されている状態を示す。
【図５】図５は図１に示すディスプレイにスクリーンロック画面を表示するときの手順の一例を示す図解図であり、図５（Ａ）は図１に示す終話キーに対して操作がされている状態を示し、図５（Ｂ）は図１に示すディスプレイに表示されるスクリーンロック画面の一例を示す。
【図６】図６は図５（Ｂ）に示すスクリーンロック画面に対する解除操作の一例を示す図解図であり、図６（Ａ）は図５（Ｂ）に示すスクリーンロック画面に対して行われるタッチ操作一例を示し、図６（Ｂ）は図１に示すディスプレイに表示されるスクリーンロック画面の他の一例を示し、図６（Ｃ）は図１に示すディスプレイに表示される待機画面の一例を示す。
【図７】図７は図１に示すディスプレイを一時消灯するときの手順の一例を示す図解図であり、図７（Ａ）は消灯キーに対して操作がされている状態を示し、図７（Ｂ）は図１に示すディスプレイが消灯されている状態を示す。
【図８】図８は図１に示すディスプレイを一時消灯されている状態から元の状態に戻す手順の一例を示し、図８（Ａ）は終話キーに対して操作がされている状態を示し、図８（Ａ）は図１に示すディスプレイに表示される前回画面の一例を示す。
【図９】図９は図２に示すＲＡＭのメモリマップの一例を示す図解図である。
【図１０】図１０は図２に示すプロセッサの判定処理の一例を示すフロー図である。
【図１１】図１１は図２に示すプロセッサの第１実施例の設定処理の一例を示すフロー図である。
【図１２】図１２は図２に示すプロセッサの第１実施例の解除処理の一例を示すフロー図である。
【図１３】図１３は図１に示すディスプレイを一時消灯するときの他の手順の一例を示す図解図であり、図１３（Ａ）は消灯キーに対して操作がされている他の状態を示し、図１３（Ｂ）は図１に示すディスプレイが消灯されている状態を示し、図１３（Ｃ）は図１に示すディスプレイにセキュリティロック画面が表示されている状態の一例を示す。
【図１４】図１４は図２に示すＲＡＭの第２実施例のメモリマップの一例を示す図解図である。
【図１５】図１５は図２に示すプロセッサの第２実施例の設定処理の一部の一例を示すフロー図である。
【図１６】図１６は図２に示すプロセッサの第２実施例の解除処理の一部の一例を示すフロー図である。
【図１７】図１７は図２に示すＲＡＭの第３実施例のメモリマップの一例を示す図解図である。
【図１８】図１８は図２に示すプロセッサの第３実施例の設定処理の一例を示すフロー図である。
【図１９】図１９は図２に示すプロセッサの第３実施例の解除処理の一例を示すフロー図である。
【発明を実施するための形態】
【００２９】
＜第１実施例＞
図１を参照して、この発明の一実施例の携帯電話機１０は、一例としてスマートフォン（smart phone）であり、縦長の扁平矩形のハウジング１２を含む。ただし、この発明は、タブレット端末およびＰＤＡなど任意の携帯端末に適用可能であることを予め指摘しておく。
【００３０】
ハウジング１２の主面（表面）には、たとえば液晶や有機ＥＬなどのディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００３１】
ハウジング１２の縦方向一端の表面側にスピーカ１８が内蔵され、縦方向他端の表面側にマイク２０が内蔵される。
【００３２】
タッチパネル１６と共に、入力操作手段を構成するハードキーとして、この実施例では、通話キー２２ａ、終話キー２２ｂおよびメニューキー２２ｃ（第２キー）が設けられる。
【００３３】
たとえば、ユーザは、ディスプレイ１４に表示されたダイヤルキー（図示せず）に対して、タッチパネル１６によってタッチ操作を行うことで電話番号を入力でき、通話キー２２ａを操作して音声通話を開始することができる。終話キー２２ｂを操作すれば、音声通話を終了することができる。なお、ユーザは、この終話キー２２ｂを長押しすることによって、携帯電話機１０の電源をオン／オフすることができる。そのため、終話キー２２ｂは、電源キーまたはパワーキーと呼ばれることもある。
【００３４】
また、メニューキー２２ｃが操作されると、ディスプレイ１４にメニュー画面が表示される。その状態でディスプレイ１４に表示されているソフトキーやメニューアイコン（ともに図示せず）などに対して、タッチ操作を行うことによってメニューを選択し、その選択を確定させることができる。そして、ユーザは、メニュー画面を利用して、通話機能、メール機能およびアドレス帳機能などを実行することが出来る。
【００３５】
図２を参照して、図１に示す実施例の携帯電話機１０は、コンピュータまたはＣＰＵと呼ばれるプロセッサ３０を含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００３６】
プロセッサ３０は、携帯電話機１０の全体制御を司る。記憶部として機能するＲＡＭ４６には、フラッシュメモリ４４に予め設定されているプログラムの全部または一部が使用に際して記憶され、プロセッサ３０はこのＲＡＭ４６上のプログラムに従って動作する。なお、ＲＡＭ４６はさらに、プロセッサ３０のワーキング領域ないしバッファ領域として用いられる。
【００３７】
入力装置４０は、図１に示すタッチパネル１６、ハードキー２２を含むものであり、操作部または入力部を構成する。ユーザが操作したハードキーの情報（キーデータ）はプロセッサ３０に入力される。なお、入力装置４０は、操作部と呼ばれることもある。
【００３８】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００３９】
通常の通話処理について具体的に説明すると、相手の電話機から送られてきた変調音声信号はアンテナ３４によって受信される。受信された変調音声信号には、無線通信回路３２によって復調処理および復号処理が施される。そして、これらの処理によって得られた受話音声信号は、Ｄ／Ａ変換器３８によって音声信号に変換された後、スピーカ１８から出力される。一方、マイク２０を通して取り込まれた送話音声信号は、Ａ／Ｄ変換器３６によって音声データに変換された後、プロセッサ３０に与えられる。音声データには、プロセッサ３０の指示の下、無線通信回路３２によって符号化処理および変調処理が施され、アンテナ３４を介して出力される。したがって、変調音声信号は、基地局および通信網を介して相手の電話機に送信される。
【００４０】
また、相手の電話機からの電話発信信号がアンテナ３４によって受信されると、無線通信回路３２は、電話着信（着呼）をプロセッサ３０に通知する。これに応じて、プロセッサ３０は、表示ドライバ４２を制御して、着信通知に記述された発信元情報（電話番号など）をディスプレイ１４に表示する。また、上記処理に伴い、プロセッサ３０は、スピーカ１８から着信音（着信メロディ、着信音声と言うこともある。）を出力させる。
【００４１】
そして、ユーザが入力装置４０に含まれる通話キー２２ａ（図１）を用いて応答操作を行うと、無線通信回路３２は、プロセッサ３０の指示の下、電話着信処理を実行する。さらに、通信可能状態が確立され、プロセッサ３０は上述した通話処理を実行する。
【００４２】
また、通話可能状態に移行した後に入力装置４０に含まれる終話キー２２ｂ（図１）によって通話終了操作が行われると、プロセッサ３０は、無線通信回路３２を制御して、通話相手に通話終了信号を送信する。そして、通話終了信号の送信後、プロセッサ３０は通話処理を終了する。また、先に通話相手から通話終了信号を受信した場合も、プロセッサ３０は通話処理を終了する。さらに、通話相手によらず、移動通信網から通話終了信号を受信した場合も、プロセッサ３０は通話処理を終了する。
【００４３】
Ａ／Ｄ変換器３６には図１に示すマイク２０が接続され、上述のようにマイク２０からの音声信号はこのＡ／Ｄ変換器３６でディジタルの音声データに接続され、プロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データの音声がスピーカ１８から出力される。
【００４４】
なお、プロセッサ３０は、たとえばユーザによるボリュームの操作に応答して、Ｄ／Ａ変換器３８に接続されるアンプの増幅率を制御することによって、スピーカ１８から出力される音声の音量を調整することができる。
【００４５】
表示ドライバ４２はディスプレイ１４およびプロセッサ３０と接続され、プロセッサ３０から出力される画像データをＶＲＡＭに記憶する。そして、表示ドライバ４２は、ＶＲＡＭのデータに対応する画像を、ディスプレイ１４に表示する。つまり、表示ドライバ４２は、プロセッサ３０の指示の下、当該表示ドライバ４２に接続されたディスプレイ１４の表示を制御する。なお、ディスプレイ１４には、たとえばＬＥＤなどを光源とするバックライトが設けられており、表示ドライバ４２はプロセッサ３０の指示に従って、そのバックライトの明るさや、オン／オフを制御する。
【００４６】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示す開始信号、ユーザによるタッチの終了を示す終了信号、およびユーザがタッチしたタッチ位置を示す座標データをプロセッサ３０に入力する。したがって、プロセッサ３０はこの座標データに基づいて、そのときユーザがどのアイコンやキーにタッチしたかを判断することができる。
【００４７】
実施例では、タッチパネル１６は、指などの物体が表面に接近して生じた電極間の静電容量の変化を検出する静電容量方式で、たとえば１本または複数本の指がタッチパネル１６に触れたことを検出する。また、タッチパネル１６は、ディスプレイ１４の上に設けられ、その画面内で、任意の位置を指示するためのポインティングデバイスである。タッチパネル制御回路４８は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面に対してタッチ、スライドおよびリリースなどの操作を行うことで、操作位置や、操作方向などを携帯電話機１０に入力する。
【００４８】
なお、タッチパネル１６の検出方式には、表面型の静電容量方式が採用されてもよいし、抵抗膜方式、超音波方式、赤外線方式および電磁誘導方式などが採用されてもよい。また、タッチ操作はユーザの指だけに限らず、スタイラスペンなどによって行われてもよい。
【００４９】
図３は、ディスプレイ１４に表示される待機画面の一例を示す図解図である。ディスプレイ１４の表示範囲は、状態表示領域６０および機能表示領域６２を含む。状態表示領域６０には、アンテナ１２による電波受信状態を示すアイコン（ピクト）、二次電池の残電池容量を示すアイコンおよび日時が表示される。また、機能表示領域６２には、待機画面であることを示す待ち受け画像および消灯キー７０（第１キー）が表示される。たとえば、所定機能が実行されているときにメニューキー２２ｃが操作されると、その所定機能が終了し、ディスプレイ１４には待機画面および消灯キー７０が表示される。そして、待機画面でメニューキー２２ｃが操作されると、メニュー画面が表示される。なお、消灯キー７０については後述するため、ここでの詳細な説明は省略する。
【００５０】
ここで、本実施例では、第１条件が満たされるとディスプレイ１４は完全消灯され、第２条件が満たされるとディスプレイ１４が一時消灯される。
【００５１】
図４（Ａ），（Ｂ）を参照して、第１条件には終話キー２２ｂに対する操作が含まれる。たとえば、終話キー２２ｂが操作されると、ディスプレイ１４が完全消灯され、待機状態となる。また、ディスプレイ１４が完全消灯されると、ディスプレイ１４およびバックライトの電源がオフにされ、ディスプレイ１４に表示されている画面（画像）が消去される。そして、ディスプレイ１４が完全消灯され待機状態となると、タッチ操作の一部を無効にするスクリーンロック状態が設定される。なお、本実施例のスクリーンロック状態では、タッチパネル１４およびタッチパネル制御回路４８の少なくとも一方の電源がオフにされ、タッチ操作が無効にされる。ただし、他の実施例では、タッチパネル制御回路４８から出力されるタッチ位置の座標を、プロセッサ３０が受け付けないように処理されてもよい。
【００５２】
図５（Ａ），（Ｂ）を参照して、スクリーンロック状態が設定されている状態で終話キー２２ｂが再び操作されると、スクリーンロック画面がディスプレイ１４に表示される。スクリーンロック画面にはオブジェクトＯｂが表示される。
【００５３】
図６（Ａ）−（Ｃ）を参照して、ユーザがオブジェクトＯｂに対して、軌跡がオブジェクトＯｂと交差するようにタッチ操作を行うと、オブジェクトＯｂの表示態様が変化すると共に、スクリーンロック状態が解除される。そして、スクリーンロック状態が解除されると、ディスプレイ１４が消灯される前の画面（ここでは、図３に示す待機画面）がディスプレイ１４に表示される。
【００５４】
次に、ディスプレイ１４の一時消灯について説明する。また、本実施例では、ディスプレイ１４が一時消灯されている状態では、ユーザはスクリーンロック状態の解除操作を行うことなく、ディスプレイ１４の表示を元に戻すことが出来る。
【００５５】
図７（Ａ），（Ｂ）を参照して、第２条件には消灯キー７０に対する操作が含まれる。たとえば、受信メールの表示画面されている状態で消灯キー７０に対してタッチ操作がされると、ディスプレイ１４が一時消灯される。このとき、スクリーンロック状態を設定する処理は無効化される。
【００５６】
図８（Ａ），（Ｂ）を参照して、ディスプレイ１４が一時消灯されている状態で終話キー２２ｂが操作されると、スクリーンロック画面は表示されず、受信メールの表示画面がディスプレイ１４に表示される。つまり、一時消灯された状態で終話キー２２ｂが操作されると、スクリーンロック状態の解除操作が行われなくても、ディスプレイ１４が消灯される前の画面（前回画面）が表示される。
【００５７】
たとえば、他人には読まれたくない受信メールを確認しているときに、他の人から声をかけられた場合、ユーザはディスプレイ１４を一時消灯することで、受信メールが表示されないようにできる。そして、声をかけた人が立ち去れば、ユーザはスクリーンロック状態の解除操作を行うことなく、受信メールの確認を再開できる。
【００５８】
一方、ユーザが携帯電話機１０の利用を止めてカバンやポケットなどに入れる場合、ユーザは終話キー２２ｂを操作してスクリーンロック状態を設定することで、カバンの中での誤操作が起きないようにすることが出来る。
【００５９】
このように、ユーザは、携帯電話機１０を利用する状況に合わせて、スクリーンロック状態を設定するか否かを容易に決めることが出来る。特に、ユーザは消灯キー７０を操作することで、スクリーンロック状態を設定することが出来る。
【００６０】
また、ユーザがディスプレイ１４を一時消灯していることを忘れて、携帯電話機１０をカバンなどの入れてしまうことが考えられる。このとき、終話キー２２ｂが押されてしまうと、カバンの中で誤操作が起きてしまうことが考えられる。そこで、本実施例では、ディスプレイ１４が一時消灯されてから所定時間（たとえば、３０秒）が経過すると、ディスプレイ１４が完全消灯された状態となる。つまり、ユーザがスクリーンロック状態の設定を忘れたとしても、スクリーンロック状態が自動的に設定される。
【００６１】
また、暗証番号や、特殊なタッチ操作が行わなければスクリーンロック状態が解除されないように設定されている場合、ユーザがディスプレイ１４を一時消灯していることを忘れて携帯電話機１０を放置してしまうと、携帯電話機１０が第三者に利用される恐れがある。ところが、上述したように、一時消灯された状態でも所定時間が経過すれば完全消灯された状態に遷移するため、携帯電話機１０は自動的にセキュリティ保護された状態となる。
【００６２】
なお、完全消灯または一時消灯する際に表示されている画面は、待機画面または受信メールの表示画面だけに限らない。つまり、ユーザは、他の機能が実行されている画面であっても、ディスプレイ１４を完全消灯または一時消灯することが出来る。
【００６３】
また、他の実施例では、消灯キー７０は、機能表示領域６２の表示内容を邪魔にならないようにするために、状態表示領域６０に表示されてもよい。つまり、他の実施例では、機能表示領域６２の表示範囲の全体を活用出来る。
【００６４】
以上で実施例の特徴を概説したが、以下には、図９に示す携帯電話機１０のＲＡＭ４６のメモリマップ、図１０−図１２に示す携帯電話機１０のプロセッサ３０によるフロー図を用いて詳細に説明する。
【００６５】
図９を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶しておくための領域である。
【００６６】
プログラム記憶領域３０２には、スクリーンロック状態の設定および解除を行うためのスクリーンロック状態制御プログラム３１０などが記憶されている。また、スクリーンロック状態制御プログラム３１０には、ディスプレイ１４を一時消灯するかを判定するための判定プログラム３１０ａ、スクリーンロック状態を設定するための設定プログラム３１０ｂおよびスクリーンロック状態を解除するための解除プログラム３１０ｃが含まれる。
【００６７】
なお、プログラム記憶領域３０２には、電話機能などを実行するためのプログラムも含まれる。
【００６８】
続いて、ＲＡＭ４６のデータ記憶領域３０４には、タッチバッファ３３０および前回画面バッファ３３２が設けられると共に、タッチ座標マップデータ３３４、ＧＵＩデータ３３６およびＧＵＩ座標データ３３８が記憶される。また、データ記憶領域３０４には、タッチフラグ３４０、条件フラグ３４２、一時消灯フラグ３４４、スクリーンロックフラグ３４６および無操作カウンタ３４８および保留カウンタ３５０が設けられる。
【００６９】
タッチバッファ３３０には、タッチパネル制御回路４８が出力するタッチ座標のデータが記憶される。前回画面バッファ３３２には、ディスプレイ１４が消灯される前に表示されていた画面のデータが一時的に記憶される。
【００７０】
タッチ座標マップデータ３３４は、タッチ操作におけるタッチ座標と、ディスプレイ１４の表示座標とを対応付けるためのデータである。つまり、タッチ座標マップデータ３３４に基づいて、タッチパネル１６に対して行われたタッチ操作の結果が、ディスプレイ１４の表示に反映される。
【００７１】
ＧＵＩデータ３３６は、ディスプレイ１４に表示されるキーなどを表示するための画像データや文字列データを含む。ＧＵＩ座標データ３３８は、表示されているＧＵＩの表示座標データを含む。
【００７２】
タッチフラグ３４０は、タッチパネル１６に対してタッチされているか否かを判断するためのフラグである。たとえば、タッチフラグ３４０は、１ビットのレジスタで構成される。タッチフラグ３４０がオン（成立）されると、レジスタにはデータ値「１」が設定される。一方、タッチフラグ３４０がオフ（不成立）されると、レジスタにはデータ値「０」が設定される。なお、タッチフラグ３４０は、タッチパネル制御回路４８が出力する信号に基づいてオン／オフが切り換えられる。
【００７３】
条件フラグ３４２は、第２条件が満たされたことを示すフラグである。また、条件フラグ３４２は、判定プログラム３１０ａの処理によってオンにされる。一時消灯フラグ３４４は、ディスプレイ１４が一時消灯されたかを判断するためのフラグである。スクリーンロックフラグ３４６は、スクリーンロック状態が設定されているかを判断するためのフラグである。
【００７４】
無操作カウンタ３４８は、携帯電話機１０が操作されていない状態（無操作状態）の時間を計測するためのカウンタである。たとえば、携帯電話機１０に対してタッチ操作またはキー操作がされると、無操作カウンタ３４８は、初期化（リセット）され時間の計測を開始する。そして、無操作カウンタ３４８は、一定時間（たとえば、６０秒）が経過すれば満了する。そのため、無操作カウンタ３４８は、無操作タイマと呼ばれることがある。
【００７５】
保留カウンタ３５０はディスプレイ１４が一時消灯されてからの時間を計測するためのカウンタである。たとえば、ディスプレイ１４が一時消灯されると、保留カウンタ３５０は初期化され時間の計測を開始する。そして、保留カウンタ３５０は、所定時間（たとえば、３０秒）が経過すると満了する。そのため、保留カウンタ３５０は保留タイマとも呼ばれることがある。
【００７６】
なお、データ記憶領域３０４には、待機状態で表示される画像データや、文字列のデータなどが記憶されると共に、携帯電話機１０の動作に必要なカウンタや、フラグも設けられる。
【００７７】
プロセッサ３０は、Ａｎｄｒｏｉｄ（登録商標）およびＲＥＸなどのＬｉｎｕｘ（登録商標）ベースのＯＳや、その他のＯＳの制御下で、図１０に示す判定処理、図１１に示す設定処理および図１２に示す解除処理などを含む、複数のタスクを並列的に処理する。
【００７８】
図１０を参照して、判定処理は、たとえば待機画面がディスプレイ１４に表示されると開始される。ステップＳ１でプロセッサ３０は、無操作タイマを初期化する。つまり、無操作カウンタ３４８が初期化され、無操作状態の時間の計測が開始される。続いて、ステップＳ３でプロセッサ３０は、操作されたか否かを判断する。つまり、タッチ操作またはキー操作がされたかが判断される。ステップＳ３で“ＮＯ”であれば、つまりユーザの操作が無ければ、ステップＳ５でプロセッサ３０は、無操作タイマが満了したか否かを判断する。つまり、プロセッサ３０は、最後の操作がされてから一定時間（たとえば、６０秒）が経過したかを判断する。ステップＳ５で“ＮＯ”であれば、つまり無操作タイマが満了していなければ、プロセッサ３０はステップＳ３に戻る。また、ステップＳ５で“ＹＥＳ”、つまり無操作状態で一定時間が経過すれば、プロセッサ３０は判定処理を終了する。
【００７９】
一方、ステップＳ３で“ＹＥＳ”であれば、たとえばユーザによってタッチ操作またはキー操作がされると、ステップＳ７でプロセッサ３０は、一時消灯操作であるか否かが判断される。つまり、消灯キー７０に対してタッチ操作がされたかが判断される。また、具体的には、プロセッサ３０は、タッチバッファ３３０に記録されているタッチ操作の開始座標および終了座標が、ＧＵＩ座標データ３３８に記憶されている消灯キー７０の表示座標範囲に含まれているかが判断される。ステップＳ７で“ＮＯ”であれば、つまり消灯キー７０が操作されていなければ、プロセッサ３０はステップＳ１に戻る。また、ステップＳ７で“ＹＥＳ”、つまり消灯キー７０が操作されると、プロセッサ３０はステップＳ９で条件フラグ３４２をオンにし、判定処理を終了する。つまり、第２条件が満了したとして、条件フラグ３４２がオンにされる。
【００８０】
図１１を参照して、設定処理は、たとえば待機画面がディスプレイ１４に表示されると開始される。ステップＳ２１でプロセッサ３０は、電源キー（終話キー２２ｂ）が操作されたか否かを判断する。ステップＳ２１で“ＹＥＳ”であれば、たとえば終話キー２２ｂが操作されると、ステップＳ２３でプロセッサ３０は、ディスプレイ１４を消灯する。つまり、現在表示されている画面のデータが前回画面バッファ３３２に保存された後、ディスプレイ１４、バックライトおよびタッチパネル１６の電源がオフにされる。続いて、ステップＳ２５でプロセッサ３０は、スクリーンロック状態を設定して、設定処理を終了する。つまり、スクリーンロックフラグ３４６がオンにされる。なお、ステップＳ２５の処理を実行するプロセッサ３０は設定部として機能する。
【００８１】
一方、ステップＳ２１で“ＮＯ”であれば、つまり電源キー（終話キー２２ｂ）が操作されていなければ、ステップＳ２７でプロセッサ３０は、一時消灯の条件が満たされたか否かを判断する。つまり、条件フラグ３４２がオンにされたかが判断される。ステップＳ２７で“ＮＯ”であれば、つまり一時消灯の条件が満たされていなければ、プロセッサ３０はステップＳ２１に戻る。
【００８２】
また、ステップＳ２７で“ＹＥＳ”であれば、たとえば消灯キー７０が操作され、一時消灯の条件が満たされると、ステップＳ２９でプロセッサ３０は、ステップＳ２３と同様、ディスプレイ１４を消灯する。続いて、ステップＳ３１でプロセッサ３０は、一時消灯フラグをオンにする。なお、ステップＳ２９の処理を実行するプロセッサ３０は消灯部として機能し、ステップＳ３１の処理を実行するプロセッサ３０は無効化部として機能する。
【００８３】
続いて、ステップＳ３３でプロセッサ３０は、保留タイマを初期化する。つまり、保留カウンタ３５０が初期化され、一時消灯されてからの時間が計測される。続いて、ステップＳ３５でプロセッサ３０は、保留タイマが満了したか否かを判断する。つまり、プロセッサ３０は、ディスプレイ１４が一時消灯されてから所定時間が経過したかを判断する。なお、ステップＳ３３，Ｓ３５の処理を実行するプロセッサ３０は計測部として機能する。
【００８４】
ステップＳ３５で“ＮＯ”であれば、つまり一時消灯されてから所定時間が経過してなければ、プロセッサ３０はステップＳ３５の処理を繰り返す。また、ステップＳ３５で“ＹＥＳ”であれば、つまり一時消灯されてから所定時間が経過すると、プロセッサ３０は、ステップＳ３７で一時消灯フラグ３４４をオフにして、ステップＳ２５でスクリーンロック状態を設定する。つまり、ディスプレイ１４が一時消灯されてから所定時間が経過したため、スクリーンロック状態が設定され、携帯電話機１０が完全消灯の状態に遷移する。
【００８５】
図１２を参照して、解除処理は、たとえばディスプレイ１４が消灯されている状態で終話キー２２ｂが操作されると開始される。ステップＳ５１でプロセッサ３０は、一時消灯フラグ３４４がオンであるか否かが判断される。つまり、ディスプレイ１４が一時消灯された状態であるかが判断される。ステップＳ５１で“ＹＥＳ”であれば、つまりディスプレイ１４が一時消灯された状態であれば、ステップＳ５９でプロセッサ３０は、前回画面を表示して解除処理を終了する。たとえば、受信メールの表示画面のデータが前回画面バッファ３３２に記録されている場合、ステップＳ５９では、受信メールの表示画面がディスプレイ１４に表示される。なお、ステップＳ５１で“ＹＥＳ”と判断された場合、一時消灯フラグ３４４はオフにされる。
【００８６】
一方、ステップＳ５１で“ＮＯ”であれば、つまりディスプレイ１４が完全消灯されている場合、ステップＳ５３でプロセッサ３０は、スクリーンロック画面を表示する。つまり、プロセッサ３０は、ＧＵＩデータ３３６を読み出して、図５（Ｂ）に示すスクリーンロック画面をディスプレイ１４に表示する。続いて、ステップＳ５５でプロセッサ３０は、解除操作か否かを判断する。たとえば、プロセッサ３０は、図６（Ａ），（Ｂ）に示すように、オブジェクトＯｂに対してタッチ操作の軌跡が交差するような解除操作がされたかを判断する。ステップＳ５５で“ＹＥＳ”であれば、つまり解除操作がされると、ステップＳ５７でプロセッサ３０は、スクリーンロック状態を解除する。つまり、スクリーンロックフラグ３４６がオフにされる。続いて、ステップＳ５９でプロセッサ３０は、前回画面を表示する。そして、ステップＳ５９の処理が終了すると、プロセッサ３０は解除処理を終了する。
【００８７】
また、ステップＳ５５で“ＮＯ”であれば、つまりスクリーンロック状態の解除操作がされていなければ、ステップＳ６１でプロセッサ３０は、電源キー（終話キー２２ｂ）が操作されたか否かを判断する。ステップＳ６１で“ＹＥＳ”であれば、つまり電源キーが操作されると、ステップＳ６５でプロセッサ３０は、ステップＳ２３と同様、ディスプレイ１４を消灯する。そして、プロセッサ３０は、ステップＳ６５の処理が終了すれば、解除処理を終了する。つまり、スクリーンロック画面が表示された状態で電源キーが操作された場合、ディスプレイ１４は再び消灯される。
【００８８】
ステップＳ６１で“ＮＯ”であれば、つまり電源キーが操作されていなければ、ステップＳ６３でプロセッサ３０は、一時消灯の条件が満たされたか否かを判断する。つまり、条件フラグ３４２がオンであるかが判断される。ステップＳ６３で“ＮＯ”であれば、つまり一時消灯の条件が満たされていなければ、プロセッサ３０はステップＳ５５に戻る。また、ステップＳ６３で“ＹＥＳ”であれば、つまり一時消灯の条件が満たされると、プロセッサ３０はステップＳ６５でディスプレイ１４を消灯して、解除処理を終了する。
【００８９】
なお、ステップＳ５３の処理を実行するプロセッサ３０はスクリーンロック画面表示部として機能し、ステップＳ５７の処理を実行するプロセッサ３０は解除部として機能し、ステップＳ５９の処理を実行するプロセッサ３０は表示処理部として機能する。
【００９０】
また、第１実施例では、解除処理の実行トリガーとなるキー操作は、終話キー２２ｂだけに限らず、他のキーなどであってもよい。さらに、キー操作ではなく、着呼やメール着信などが、解除処理の実行トリガーとなってもよい。
【００９１】
＜第２実施例＞
第２実施例では、携帯電話機１０は、セキュリティ機能を有しており、ユーザのプライベート情報を表示する特定機能を実行できる。そして、そして、特定機能が実行されている状態でディスプレイ１４が一時消灯されたときに、セキュリティ機能を有効にされていれば、特定機能の利用を制限するセキュリティロック状態が設定される。なお、第２実施例の携帯電話機１０は、第１実施例と略同じであるため、携帯電話機１０の外観および電気的な構成などの説明は省略する。
【００９２】
図１３（Ａ），（Ｂ）を参照して、特定機能としてアドレス帳機能が実行されると、プライベート情報であるアドレス帳データ（「＊＊」）を含む、アドレス帳画面がディスプレイ１４に表示される。この状態で、消灯キー７０が操作されると、ディスプレイ１４が一時消灯されると共に、セキュリティロック状態が設定される。次に、図１３（Ｃ）を参照して、ディスプレイ１４が一時消灯されている状態で終話キー２２ｂが操作されると、ディスプレイ１４にはセキュリティロック画面が表示される。第２実施例のセキュリティロック画面では、特定の解除操作として暗証番号の入力がユーザに求められる。そして、予め登録された暗証番号が入力され、暗証番号の認証に成功すると、セキュリティロック状態が解除される。なお、セキュリティロック状態が解除されると、第１実施例と同様、一時消灯される前に表示されていた画面（アドレス帳画面）がディスプレイ１４に表示される。
【００９３】
このように、第２実施例では、プライベート情報が表示されている状態で一時消灯された場合、ディスプレイ１４に再びその情報を表示させる際には、特定の解除操作を要するセキュリティロック画面が表示される。したがって、特定機能が実行されている状態で、ディスプレイ１４が一時消灯された場合、携帯電話機１０をセキュリティ保護された状態にすることが出来る。
【００９４】
図１４を参照して、第２実施例のＲＡＭ４６のメモリマップは、第１実施例のメモリマップ（図９）で示されるバッファ、データおよびカウンタに加えて、実行機能バッファ３５２がさらに設けられ、セキュリティ機能テーブルデータ３５４がさらに記憶され、セキュリティ機能フラグ３５６およびセキュリティロックフラグ３５８がさらに設けられる。
【００９５】
実行機能バッファ３５２には、実行されている機能のＩＤなどが一時的に記憶される。特定機能テーブルデータ３５４は、特定機能として予め登録されている機能のＩＤが記録されている。セキュリティ機能フラグ３５６は、セキュリティ機能が有効されているかを判断するためのフラグである。セキュリティロックフラグ３５８は、セキュリティロック状態が設定されているかを判断するためのフラグである。
【００９６】
図１５は、第２実施例の設定処理の一部のフロー図である。なお、ステップＳ２１−Ｓ２７は、第１実施例と同じであるため、図示および説明を省略する。
【００９７】
たとえば、第２実施例において一時消灯の条件が満たされ、ステップＳ２７で“ＹＥＳ”と判断されると、ステップＳ８１でプロセッサ３０は、機能が実行されているか否かを判断する。つまり、プロセッサ３０は、実行機能バッファ３５２に、機能を示すＩＤが記憶されているかを判断する。ステップＳ８１で“ＮＯ”であれば、つまり機能が実行されていなければ、プロセッサ３０はステップＳ２９に進む。
【００９８】
また、ステップＳ８１で“ＹＥＳ”であれば、つまり機能が実行されている状態であれば、ステップＳ８３でプロセッサ３０は、セキュリティ機能が設定されているかを判断する。つまり、セキュリティロックフラグ３５６がオンであるかが判断される。ステップＳ８３で“ＮＯ”であれば、つまりセキュリティ機能が設定されていなければ、プロセッサ３０はステップＳ２９に進む。
【００９９】
また、ステップＳ８３で“ＹＥＳ”であれば、つまりセキュリティ機能が設定されていれば、ステップＳ８５でプロセッサ３０は、特定機能か否かを判断する。具体的には、プロセッサ３０は、実行機能バッファ３５２に記録されているＩＤが、特定機能テーブルデータ３５４に記録されているかを判断する。ステップＳ８５で“ＮＯ”であれば、つまり特定機能が実行されていなければ、プロセッサ３０はステップＳ２９に進む。一方、ステップＳ８５で“ＹＥＳ”であれば、つまり特定機能が実行されていれば、ステップＳ８７でプロセッサ３０は、セキュリティロックフラグ３５８をオンにする。つまり、セキュリティロック状態が設定される。そして、プロセッサ３０は、ステップＳ２９以降の処理を実行する。なお、ステップＳ８７の処理を実行するプロセッサ３０はセキュリティロック設定部として機能する。
【０１００】
図１６は、第２実施例の解除処理の一部のフロー図である。なお、ステップＳ５１−Ｓ５７，Ｓ６１−Ｓ６５は、第１実施例と同じであるため、図示および説明を省略する。
【０１０１】
一時消灯フラグがオンであり、ステップＳ５１で“ＹＥＳ”と判断されると、ステップＳ１０１でプロセッサ３０は、セキュリティロックフラグ３５８がオンであるか否かを判断する。つまり、セキュリティロック状態が設定されているか判断される。ステップＳ１０１で“ＮＯ”であれば、つまりセキュリティロック状態が設定されていなければ、プロセッサ３０はステップＳ５９に進む。一方、ステップＳ１０１で“ＹＥＳ”であれば、つまりセキュリティロック状態が設定されていれば、ステップＳ１０３でプロセッサ３０は、セキュリティロック画面を表示する。たとえば、図１３（Ｃ）に示すセキュリティロック画面がディスプレイ１４に表示される。なお、ステップＳ１０３の処理を実行するプロセッサ３０はセキュリティロック画面表示部として機能する。
【０１０２】
続いて、ステップＳ１０５でプロセッサ３０は、解除操作か否かを判断する。たとえば、プロセッサ３０は、入力された暗証番号が登録されている暗証番号と一致するかを判断する。ステップＳ１０５で“ＮＯ”であれば、たとえば正しい暗証番号が入力されなければ、プロセッサ３０はステップＳ１０５の処理を繰り返す。
【０１０３】
また、ステップＳ１０５で“ＹＥＳ”であれば、たとえば入力された暗証番号が登録されている暗証番号と一致すれば、ステップＳ１０７でプロセッサ３０は、セキュリティロックフラグ３５８をオフにする。つまり、セキュリティロック状態が解除される。そして、プロセッサ３０は、ステップＳ５９で前回画面を表示して、解除処理を終了する。また、ステップＳ１０７の処理を実行するプロセッサ３０はセキュリティロック解除部として機能する。
【０１０４】
なお、第２実施例では、セキュリティ機能が有効に設定されている状態で完全消灯されると、スクリーンロック状態に加えてセキュリティロック状態も設定される。そして、スクリーンロック状態が解除されると、セキュリティロック画面が表示される。この場合、設定処理では、ステップＳ２１とステップＳ２３との間に、ステップＳ８１−Ｓ８５の処理が実行される。また、解除処理では、ステップＳ５７の後にステップＳ１０１−Ｓ１０７が実行される。
【０１０５】
また、他の実施例では、セキュリティ機能の有効／無効に関係なく、スクリーンロック状態と共に、セキュリティロック状態が設定されてもよい。
【０１０６】
＜第３実施例＞
第３実施例では、任意の機能が実行された状態でスクリーンロック状態が設定された場合、メニューキー２２ｃが操作された場合でもスクリーンロック画面が表示される。これにより、ユーザは、スクリーンロック状態が設定されていても、任意の機能が実行されているかを知ることが出来る。なお、第３実施例の携帯電話機１０は、第１実施例と略同じであるため、携帯電話機１０の外観および電気的な構成などの説明を省略する。
【０１０７】
図１７を参照して、第３実施例のＲＡＭ４６のメモリマップには、第１実施例および第２実施例のメモリマップ（図９，図１４）で示されるフラグに加えて、任意の機能が実行されていること示す実行中フラグ３６０がさらに設けられる。
【０１０８】
図１８は、第３実施例の設定処理のフロー図である。なお、ステップＳ２１とステップＳ２３との間に、ステップＳ１２１，Ｓ１２３が追加された以外は、第１実施例と同じであるため、ステップＳ２１−Ｓ３７については詳細な説明を省略する。
【０１０９】
電源キー（終話キー２２ｂ）が操作されると、ステップＳ２１で“ＹＥＳ”と判断され、ステップＳ１２１でプロセッサ３０は、機能が実行中か否かを判断する。つまり、プロセッサ３０は、実行機能バッファ３５２にＩＤが記録されているかを判断する。ステップＳ１２１で“ＮＯ”であれば、つまり任意の機能が実行されていなければ、プロセッサ３０はステップＳ２３に進む。一方、ステップＳ１２１で“ＹＥＳ”であれば、つまり任意の機能が実行されていれば、ステップＳ１２３でプロセッサ３０は、実行中フラグ３６０をオンにする。そして、ステップＳ１２３の処理が終了すれば、プロセッサ３０はステップＳ２３に進む。
【０１１０】
図１９は、第３実施例の解除処理のフロー図である。なお、ステップＳ５１とステップＳ５３との間にステップＳ１４１−Ｓ１４５の処理が追加された以外は、第１実施例と同じであるため、ステップＳ５１−Ｓ６５の詳細な説明は省略する。
【０１１１】
第３実施例の解除処理のフロー図は、キーが操作されると開始される。そして、一時消灯フラグ３４４がオフであり、ステップＳ５１で“ＮＯ”と判断されると、ステップＳ１４１でプロセッサ３０は、電源キーか否かを判断する。つまり、プロセッサ３０は、操作されたキーが電源キー（終話キー２２ｂ）であるかを判断する。ステップＳ１４１で“ＹＥＳ”であれば、つまり操作されたキーが電源キーであれば、プロセッサ３０はステップＳ５３でスクリーンロック画面を表示して、ステップＳ５５以降の処理を実行する。
【０１１２】
一方、ステップＳ１４１で“ＮＯ”であれば、つまり操作されたキーが電源キーでなければ、ステップＳ１４３でプロセッサ３０は、メニューキー２２ｃか否かを判断する。つまり、プロセッサ３０は、操作されたキーがメニューキー２２ｃであるかを判断する。ステップＳ１４３で“ＮＯ”であれば、つまり操作されたキーがメニューキー２２ｃでなければ、プロセッサ３０は解除処理を終了する。
【０１１３】
ステップＳ１４３で“ＹＥＳ”であれば、つまり操作されたキーがメニューキー２２ｃであれば、ステップＳ１４５でプロセッサ３０は、実行中フラグ３６０がオンであるかが判断される。つまり、任意の機能が実行された状態でスクリーンロック状態が設定されているかが判断される。ステップＳ１４５で“ＮＯ”であれば、つまり機能が実行されていないときにスクリーンロック状態が設定されていれば、プロセッサ３０は解除機能を終了する。
【０１１４】
一方、ステップＳ１４５で“ＹＥＳ”であれば、つまり機能が実行されているときにスクリーンロック状態が設定されていれば、プロセッサ３０は、ステップＳ５３でスクリーンロック画面を表示して、ステップＳ５５以降の処理を実行する。
【０１１５】
なお、第１実施例−第３実施例については、任意に組み合わせることが可能であり、具体的な組み合わせは容易に想像できるため、詳細な説明は省略する。
【０１１６】
また、他の実施例では、消灯キー７０は、ソフトキーではなく、ハードキーとしてハウジング１２に設けられてもよい。
【０１１７】
また、その他の実施例では、第２条件には、無操作のまま一定時間（たとえば、６０秒）が経過した場合が含まれていてもよい。この場合、判定処理のステップＳ５で“ＹＥＳ”と判断されるとステップＳ９に進み、条件フラグ３４２がオンにされる。
【０１１８】
また、本実施例で用いられたプログラムは、データ配信用のサーバのＨＤＤに記憶され、ネットワークを介して携帯電話機１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯端末にインストールされた場合、本実施例と同等の効果が得られる。
【０１１９】
そして、本明細書中で挙げた、具体的な数値は、いずれも単なる一例であり、製品の仕様変更などに応じて適宜変更可能である。
【符号の説明】
【０１２０】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
４８    …  タッチパネル制御回路
【図１】
0005890186.tif 000002
【図２】
0005890186.tif 000003
【図３】
0005890186.tif 000004
【図４】
0005890186.tif 000005
【図５】
0005890186.tif 000006
【図６】
0005890186.tif 000007
【図７】
0005890186.tif 000008
【図８】
0005890186.tif 000009
【図９】
0005890186.tif 000010
【図１０】
0005890186.tif 000011
【図１１】
0005890186.tif 000012
【図１２】
0005890186.tif 000013
【図１３】
0005890186.tif 000014
【図１４】
0005890186.tif 000015
【図１５】
0005890186.tif 000016
【図１６】
0005890186.tif 000017
【図１７】
0005890186.tif 000018
【図１８】
0005890186.tif 000019
【図１９】
0005890186.tif 000020